(57)【要約】【課題】活物質層の脱落を抑制でき、かつ、ケースと電極組立体との干渉を抑制すること。【解決手段】正極電極４１は、正極本体４２と正極タブ４３とを備える。正極電極４１と負極電極の積層方向から見て、正極本体４２は、正極上辺６２と、正極下辺６３と、正極側辺６４，６５と、正極タブ側角取辺６６，６７と、正極底側角取辺６８，６９とを備える。正極上辺６２の延長線を第１正極仮想線６２Ａとし、正極下辺６３の延長線を第２正極仮想線６３Ａとし、各正極側辺６４，６５の延長線を第３正極仮想線６４Ａ，６５Ａとする。第１正極仮想線６２Ａ、第３正極仮想線６４Ａ，６５Ａ、及び、正極タブ側角取辺６６，６７に囲まれるタブ側仮想面Ａ１，Ａ２の面積は、第２正極仮想線６３Ａ、第３正極仮想線６４Ａ，６５Ａ、及び、正極底側角取辺６８，６９に囲まれる底側仮想面Ａ３，Ａ４の面積よりも小さい。【選択図】図４
2018142513.tif 000002
【特許請求の範囲】
【請求項１】
正負の電極をセパレータで絶縁した状態で交互に積層した電極組立体と、
前記電極組立体が収容されたケースと、を備え、
前記電極のそれぞれは、金属箔の少なくとも片面に活物質層を設けた電極本体と、前記金属箔からなり、前記電極本体から延びるタブと、を備え、
前記ケースは、底壁と、側壁と、前記底壁と前記側壁とを繋ぐアール状のケース隅部と、を備え、
前記電極の積層方向から見て、前記電極本体は、前記タブが設けられた第１辺と、前記第１辺の対辺であり、前記底壁に向かい合う第２辺と、前記第１辺と前記第２辺とが向かい合う方向に延びるとともに互いに向かい合う一対の第３辺と、前記第１辺と前記第３辺との間に位置して前記第１辺と前記第３辺とを接続する第１角取辺と、前記第２辺と前記第３辺との間に位置して前記第２辺と前記第３辺とを接続する第２角取辺と、を備え、
前記第１辺の延長線を第１仮想線とし、前記第２辺の延長線を第２仮想線とし、前記第３辺の延長線を第３仮想線とすると、
前記第１仮想線、前記第３仮想線、及び、前記第１角取辺に囲まれる第１仮想面の面積は、前記第２仮想線、前記第３仮想線、及び、前記第２角取辺に囲まれる第２仮想面の面積よりも小さい蓄電装置。
【請求項２】
前記第１仮想面の面積、及び、前記第２仮想面の面積は、前記タブからの距離が長いほど大きい請求項１に記載の蓄電装置。
【請求項３】
前記第１角取辺は、前記第１辺と各第３辺とを接続するように一対設けられ、
前記第２角取辺は、前記第２辺と各第３辺とを接続するように一対設けられている請求項１又は請求項２に記載の蓄電装置。
【発明の詳細な説明】
【技術分野】
【０００１】
本発明は、蓄電装置に関する。
【背景技術】
【０００２】
二次電池や、キャパシタなどの蓄電装置は、ケースと、ケースに収容された電極組立体とを備える（例えば、特許文献１参照）。ケースは、開口部を有するケース本体と、ケース本体の開口部を閉塞する蓋部材とを備える。ケース本体は、底壁と、側壁と、底壁と側壁とを繋ぐケース隅部とを備える。電極組立体は、正負の電極と、電極同士を絶縁するセパレータとを備える。電極は、金属箔と、金属箔の少なくとも片面に設けられた活物質層とを備える。
【先行技術文献】
【特許文献】
【０００３】
【特許文献１】特開２０１６−１７１２３９号公報
【発明の概要】
【発明が解決しようとする課題】
【０００４】
ところで、金属箔から活物質層の一部が脱落すると、脱落した活物質層の一部が異物となり、短絡の原因となる。また、ケース隅部がアール状であるケースに電極組立体を収容する場合、電極組立体がケース隅部に乗り上げてしまうおそれがある。すると、電極組立体をケースに収容することができなかったり、電極組立体をケースに収容しにくくなる。
【０００５】
本発明の目的は、活物質層の脱落を抑制でき、かつ、ケースと電極組立体との干渉を抑制できる蓄電装置を提供することにある。
【課題を解決するための手段】
【０００６】
上記課題を解決する蓄電装置は、正負の電極をセパレータで絶縁した状態で交互に積層した電極組立体と、前記電極組立体が収容されたケースと、を備え、前記電極のそれぞれは、金属箔の少なくとも片面に活物質層を設けた電極本体と、前記金属箔からなり、前記電極本体から延びるタブと、を備え、前記ケースは、底壁と、側壁と、前記底壁と前記側壁とを繋ぐアール状のケース隅部と、を備え、前記電極の積層方向から見て、前記電極本体は、前記タブが設けられた第１辺と、前記第１辺の対辺であり、前記底壁に向かい合う第２辺と、前記第１辺と前記第２辺とが向かい合う方向に延びるとともに互いに向かい合う一対の第３辺と、前記第１辺と前記第３辺との間に位置して前記第１辺と前記第３辺とを接続する第１角取辺と、前記第２辺と前記第３辺との間に位置して前記第２辺と前記第３辺とを接続する第２角取辺と、を備え、前記第１辺の延長線を第１仮想線とし、前記第２辺の延長線を第２仮想線とし、前記第３辺の延長線を第３仮想線とすると、前記第１仮想線、前記第３仮想線、及び、前記第１角取辺に囲まれる第１仮想面の面積は、前記第２仮想線、前記第３仮想線、及び、前記第２角取辺に囲まれる第２仮想面の面積よりも小さい。
【０００７】
金属箔に設けられた活物質層は、角に設けられた部分ほど脱落しやすく、更に、角の角度が小さい程、活物質層は脱落しやすい。第１角取辺及び第２角取辺を設けることで、電極本体の角を鈍角にすることができる。このため、活物質層が脱落することを抑制することができる。
【０００８】
また、第２角取辺を設けることで、電極本体におけるケース隅部と干渉し得る箇所をケース隅部から離間させることができる。更に、第２仮想面の面積を第１仮想面の面積よりも大きくすることで、電極本体におけるケース隅部と干渉し得る箇所をケース隅部からより離間させることができる。したがって、ケースと電極組立体との干渉を抑制することができる。
【０００９】
上記蓄電装置について、前記第１仮想面の面積、及び、前記第２仮想面の面積は、前記タブからの距離が長いほど大きくてもよい。
蓄電装置においては、一方の極性の電極のタブから、他方の極性の電極のタブに向けた電流経路で電流が流れる。この際、タブからの距離に応じて電流経路の経路長が変化する。電流経路は、タブから波状に拡がっていく。電極組立体には、電流経路の経路長に応じて抵抗分布が生じ、経路長の短い電流経路ほど抵抗は低くなる。そして、この抵抗分布にしたがい、電極には電流分布が生じる。電極に流れる電流は、タブに近いほど大きくなるため、活物質層のうちタブから離れている箇所ほど放電に寄与しないことになる。タブからの距離が長いほど各仮想面の面積を大きく設定することで、蓄電装置の容量の低下を抑えつつ、各仮想面の面積を大きくすることで活物質層の脱落を抑制することができる。
【００１０】
上記蓄電装置について、前記第１角取辺は、前記第１辺と各第３辺とを接続するように一対設けられ、前記第２角取辺は、前記第２辺と各第３辺とを接続するように一対設けられている。
【００１１】
これによれば、第１角取辺と、第２角取辺とが１つずつ設けられる場合と比較して、活物質層の脱落を抑制できる。
【発明の効果】
【００１２】
本発明によれば、活物質層の脱落を抑制でき、かつ、ケースと電極組立体との干渉を抑制できる。
【図面の簡単な説明】
【００１３】
【図１】二次電池の一部を破断して示す斜視図。
【図２】二次電池の一部を拡大して示す断面図。
【図３】電極組立体の分解斜視図。
【図４】正極電極の正面図。
【図５】負極電極の正面図。
【図６】電極組立体の電流経路を模式的に示す図。
【発明を実施するための形態】
【００１４】
以下、蓄電装置の一実施形態について説明する。
図１及び図２に示すように、蓄電装置としての二次電池１０は、箱状のケース２０と、ケース２０に収容された電極組立体４０とを備える。本実施形態の二次電池１０は、角型電池であり、リチウムイオン電池である。ケース２０は、本体２２と、蓋部材２１とを備える。
【００１５】
本体２２は、矩形状の底壁２３と、四角筒状の側壁２５と、底壁２３と側壁２５とを繋ぐケース隅部２４とを備える。側壁２５は、ケース隅部２４を介して、底壁２３から立設している。ケース隅部２４は、底壁２３から側壁２５に向けて、ケース２０の外側に凸となるアール形状（円弧形状）である。ケース２０は、深絞り加工や、インパクトプレス加工などの塑性加工によって金属板を塑性変形させることで製造されている。ケース隅部２４は、塑性加工に際して生じるものである。
【００１６】
側壁２５は、互いに向かい合う一対の第１側部２６と、互いに向かい合う一対の第２側部２７と、を備える。第１側部２６は、底壁２３の短辺からケース隅部２４を介して立設している。第２側部２７は、底壁２３の長辺からケース隅部２４を介して立設している。
【００１７】
電極組立体４０は、本体２２に収容されている。蓋部材２１は、本体２２に電極組立体４０を収容した後に本体２２に溶接されることで、側壁２５によって囲まれた開口部２８を閉塞している。
【００１８】
図３に示すように、電極組立体４０は、正負の電極としての正極電極４１及び負極電極５１と、セパレータ８１とを備える。電極組立体４０は、複数の正極電極４１と複数の負極電極５１とをセパレータ８１で絶縁した状態で交互に積層することで構成されている。セパレータ８１は、矩形状である。セパレータ８１は、例えば、ポリプロピレン製である。以下の説明において、「積層方向」とは、正極電極４１と負極電極５１とが積層される方向である。
【００１９】
図３及び図４に示すように、正極電極４１は、電極本体としての正極本体４２と、正極本体４２から突出したタブとしての正極タブ４３とを備える。正極本体４２は、金属箔としての正極金属箔（本実施形態ではアルミニウム箔）４４と、正極金属箔４４の両面に設けられた活物質層としての正極活物質層４５とを備える。正極活物質層４５は、正極用の活物質、バインダ、及び導電助剤などを含有している。正極タブ４３は、正極金属箔４４の一部を正極本体４２から突出するように延ばした部分である。
【００２０】
図３及び図５に示すように、負極電極５１は、電極本体としての負極本体５２と、負極本体５２から突出したタブとしての負極タブ５３とを備える。負極本体５２は、金属箔としての負極金属箔（本実施形態では銅箔）５４と、負極金属箔５４の両面に設けられた活物質層としての負極活物質層５５とを備える。負極活物質層５５は、負極用の活物質、バインダ、及び導電助剤などを含有している。負極タブ５３は、負極金属箔５４の一部を負極本体５２から突出するように延ばした部分である。
【００２１】
リチウムイオン電池においては、負極電極５１でのリチウムの析出を抑制するために負極電極５１の容量を正極電極４１の容量に比べて多くしている。したがって、負極本体５２の面積は正極本体４２の面積よりも大きく、負極本体５２の外形寸法は厚みを除いて、正極本体４２の外形寸法よりも大きい。まず、正極本体４２について説明する。
【００２２】
図４に示すように、正極本体４２は、略矩形状であり、四隅が面取りされた形状である。正極本体４２は、四隅に正極面取部４６，４７，４８，４９を備える。正極本体４２の厚み方向の両側の形状は、同一である。したがって、正極本体４２を正面視した場合、厚み方向のいずれの方向から見ても、同一の形状となる。なお、正極本体４２の正面視した形状は、正極本体４２を積層方向から見た形状と同一である。
【００２３】
正極本体４２は、正面視したときに、互いに平行である正極上辺６２及び正極下辺６３と、互いに平行である一対の正極側辺６４，６５とを備える。正極タブ４３は、正極上辺６２に一体に設けられている。したがって、正極上辺６２は正極タブ４３が設けられた第１辺となり、正極下辺６３は第１辺の対辺である第２辺となる。正極側辺６４，６５は、正極上辺６２と正極下辺６３とが向かい合う方向に延び、互いに向かい合っている。したがって、正極側辺６４，６５は、第３辺となる。
【００２４】
正極タブ４３は正極側辺６４，６５のうちの一方に寄って設けられている。本実施形態では、正極側辺６４，６５のうち、正極タブ４３に近い方の正極側辺６４を第１正極側辺６４とし、正極タブ４３から遠い方の正極側辺６５を第２正極側辺６５とする。
【００２５】
正極本体４２は、正面視したときに、正極上辺６２の端と各正極側辺６４，６５の端とを繋ぐ２つの正極タブ側角取辺６６，６７を備える。正極タブ側角取辺６６，６７は、正極面取部４６，４７，４８，４９のうち、正極上辺６２の両端に位置する第１正極面取部４６、及び、第２正極面取部４７を構成している。正極タブ側角取辺６６，６７は、正極上辺６２と正極側辺６４，６５との間に位置して正極上辺６２と正極側辺６４，６５とを接続している第１角取辺となる。
【００２６】
一対の正極タブ側角取辺６６，６７のうち、正極上辺６２と第１正極側辺６４とを繋ぐ正極タブ側角取辺６６を第１正極タブ側角取辺６６とし、正極上辺６２と第２正極側辺６５とを繋ぐ正極タブ側角取辺６７を第２正極タブ側角取辺６７とする。正極タブ側角取辺６６，６７は、正極上辺６２と正極側辺６４，６５に対して斜めに交わる辺である。正極上辺６２と、第１正極タブ側角取辺６６とのなす角度は、鈍角である。第１正極側辺６４と第１正極タブ側角取辺６６とのなす角度は、鈍角である。正極上辺６２と、第２正極タブ側角取辺６７とのなす角度は、鈍角である。第２正極側辺６５と、第２正極タブ側角取辺６７とのなす角度は、鈍角である。即ち、正極タブ側角取辺６６，６７は、正極上辺６２及び正極側辺６４，６５となす角度がそれぞれ鈍角となる辺である。
【００２７】
第１正極タブ側角取辺６６と正極上辺６２の交点Ｐ１と、第１正極タブ側角取辺６６と第１正極側辺６４の交点Ｐ２とを結ぶ線分Ｓ１と、正極上辺６２とのなす角度は鈍角である。線分Ｓ１と、第１正極側辺６４とのなす角度は鈍角である。なお、本実施形態では、線分Ｓ１と、第１正極タブ側角取辺６６とは同一の線分となる。
【００２８】
第２正極タブ側角取辺６７と正極上辺６２の交点Ｐ３と、第２正極タブ側角取辺６７と第２正極側辺６５の交点Ｐ４とを結ぶ線分Ｓ２と、正極上辺６２とのなす角度は鈍角である。線分Ｓ２と、第２正極側辺６５とのなす角度は鈍角である。なお、本実施形態では、線分Ｓ２と、第２正極タブ側角取辺６７とは同一の線分となる。
【００２９】
正極本体４２は、正面視したときに、正極下辺６３の端と各正極側辺６４，６５の端とを繋ぐ２つの正極底側角取辺６８，６９を備える。正極底側角取辺６８，６９は、正極面取部４６，４７，４８，４９のうち、正極下辺６３の両端に位置する第３正極面取部４８、及び、第４正極面取部４９を構成している。正極底側角取辺６８，６９は、正極下辺６３と正極側辺６４，６５との間に位置して正極下辺６３と正極側辺６４，６５とを接続している第２角取辺となる。
【００３０】
一対の正極底側角取辺６８，６９のうち、正極下辺６３と第１正極側辺６４とを繋ぐ正極底側角取辺６８を第１正極底側角取辺６８とし、正極下辺６３と第２正極側辺６５とを繋ぐ正極底側角取辺６９を第２正極底側角取辺６９とする。正極底側角取辺６８，６９は、正極下辺６３と正極側辺６４，６５に対して斜めに交わる辺である。正極下辺６３と、第１正極底側角取辺６８とのなす角度は、鈍角である。第１正極側辺６４と第１正極底側角取辺６８とのなす角度は、鈍角である。正極下辺６３と、第２正極底側角取辺６９とのなす角度は、鈍角である。第２正極側辺６５と、第２正極底側角取辺６９とのなす角度は、鈍角である。即ち、正極底側角取辺６８，６９は、正極下辺６３及び正極側辺６４，６５となす角度が鈍角となる辺である。
【００３１】
第１正極底側角取辺６８と正極下辺６３の交点Ｐ５と、第１正極底側角取辺６８と第１正極側辺６４の交点Ｐ６とを結ぶ線分Ｓ３と、正極下辺６３とのなす角度は鈍角である。線分Ｓ３と、第１正極側辺６４とのなす角度は鈍角である。なお、本実施形態では、線分Ｓ３と、第１正極底側角取辺６８とは同一の線分となる。
【００３２】
第２正極底側角取辺６９と正極下辺６３の交点Ｐ７と、第２正極底側角取辺６９と第２正極側辺６５の交点Ｐ８とを結ぶ線分Ｓ４と、正極下辺６３とのなす角度は鈍角である。線分Ｓ４と、第２正極側辺６５とのなす角度は鈍角である。なお、本実施形態では、線分Ｓ４と、第２正極底側角取辺６９とは同一の線分となる。
【００３３】
正極上辺６２、正極下辺６３、各正極側辺６４，６５、及び、各角取辺６６，６７，６８，６９により、正極本体４２の周縁は構成されている。なお、本実施形態の各面取部４６，４７，４８，４９は、Ｃ面状である。
【００３４】
「面取部」とは、面取部４６，４７，４８，４９がなければ直角、あるいは、鋭角に交わる面同士を繋ぐことで、面同士が直角に交われないようにしている面である。なお、「面取部」は、四角形状の正極本体４２を製造した後に、四隅を面取りすることで生じた面のみを示すものではない。例えば、切断加工によって、正極上辺６２、正極下辺６３、正極側辺６４，６５、及び、角取辺６６，６７，６８，６９が同時に製造され、面取りが行われていない正極本体４２においても、角取辺６６，６７，６８，６９によって構成される面が面取部４６，４７，４８，４９となる。
【００３５】
ここで、正極上辺６２の延長線を第１仮想線としての第１正極仮想線６２Ａとし、正極下辺６３の延長線を第２仮想線としての第２正極仮想線６３Ａとし、各正極側辺６４，６５の延長線を第３仮想線としての第３正極仮想線６４Ａ，６５Ａとする。各正極仮想線６２Ａ，６３Ａ，６４Ａ，６５Ａの交わる点同士を繋いだ四角形は、各角取辺６６，６７，６８，６９がないと仮定した場合の正極本体４２の外形である。
【００３６】
第１正極仮想線６２Ａ、第３正極仮想線６４Ａ，６５Ａ、及び、正極タブ側角取辺６６，６７に囲まれる面を第１仮想面としての正極タブ側仮想面Ａ１，Ａ２とする。正極タブ側仮想面Ａ１，Ａ２は、正極タブ側角取辺６６，６７の数と同数存在し、本実施形態では２つ存在することになる。２つの正極タブ側仮想面Ａ１，Ａ２のうち、第１正極仮想線６２Ａ、第３正極仮想線６４Ａ、及び、第１正極タブ側角取辺６６に囲まれる正極タブ側仮想面Ａ１を第１正極タブ側仮想面Ａ１とし、第１正極仮想線６２Ａ、第３正極仮想線６５Ａ、及び、第２正極タブ側角取辺６７に囲まれる正極タブ側仮想面Ａ２を第２正極タブ側仮想面Ａ２とする。
【００３７】
第２正極仮想線６３Ａ、第３正極仮想線６４Ａ，６５Ａ、及び、正極底側角取辺６８，６９に囲まれる面を第２仮想面としての正極底側仮想面Ａ３，Ａ４とする。正極底側仮想面Ａ３，Ａ４は、正極底側角取辺６８，６９の数と同数存在し、本実施形態では２つ存在することになる。２つの正極底側仮想面Ａ３，Ａ４のうち、第２正極仮想線６３Ａ、第３正極仮想線６４Ａ、及び、第１正極底側角取辺６８に囲まれる正極底側仮想面Ａ３を第１正極底側仮想面Ａ３とし、第２正極仮想線６３Ａ、第３正極仮想線６５Ａ、及び、第２正極底側角取辺６９に囲まれる正極底側仮想面Ａ４を第２正極底側仮想面Ａ４とする。
【００３８】
第１正極タブ側仮想面Ａ１の面積は、第１正極底側仮想面Ａ３の面積より小さく、第２正極タブ側仮想面Ａ２の面積は、第２正極底側仮想面Ａ４の面積より小さい。本実施形態のように、四隅に仮想面Ａ１，Ａ２，Ａ３，Ａ４が存在する場合、正極上辺６２と正極下辺６３との対向方向に向かい合う仮想面Ａ１，Ａ２，Ａ３，Ａ４について、上記の関係が成り立つ。
【００３９】
各仮想面Ａ１，Ａ２，Ａ３，Ａ４の面積は、正極タブ４３からの距離に対応している。本実施形態の各仮想面Ａ１，Ａ２，Ａ３，Ａ４の面積は、正極タブ４３から離れているほど大きい。矢印Ｙ４で示すように、正極タブ４３から最も離れている第２正極底側仮想面Ａ４の面積が最も大きく、矢印Ｙ２で示すように、第２正極タブ側仮想面Ａ２の面積が２番目に大きい。矢印Ｙ１で示すように正極タブ４３に最も近い第１正極タブ側仮想面Ａ１の面積が最も小さく、矢印Ｙ３で示すように、第１正極底側仮想面Ａ３の面積が２番目に小さい。
【００４０】
なお、上記した仮想面Ａ１，Ａ２，Ａ３，Ａ４の面積とは、正極本体４２が四角形状だったと仮定した場合に、各角取辺６６，６７，６８，６９で面取りを行った際に面取りされる面取面積である。
【００４１】
次に、負極本体５２について説明する。
図５に示すように、本実施形態では、正極本体４２と負極本体５２とは負極本体５２の外形寸法が正極本体４２の外形寸法より大きい相似の関係にある。負極本体５２の周縁は、正極本体４２の周縁から一定寸法Ｌ１０だけ大きい形状となる。この一定寸法Ｌ１０は、負極電極５１と正極電極４１との面積比（容量比）が、負極電極５１でのリチウムの析出を抑制するために必要な面積比となるように設定されている。負極本体５２の設計を行う際には、正極本体４２の設計を行った後に、正極電極４１の外縁に一定寸法Ｌ１０を加えた外縁となるように設計を行う。
【００４２】
負極本体５２は、正極本体４２と相似関係なので、簡略化して説明を行う。負極本体５２は、正極上辺６２に対応する負極上辺７２と、正極下辺６３に対応する負極下辺７３と、正極側辺６４，６５に対応する負極側辺７４，７５とを備える。
【００４３】
負極タブ５３は、負極上辺７２に一体に設けられている。本実施形態では、負極側辺７４，７５のうち、負極タブ５３に近い方の負極側辺７４を第１負極側辺７４とし、負極タブ５３から遠い方の負極側辺７５を第２負極側辺７５とする。負極上辺７２は負極タブ５３が設けられた第１辺となり、負極下辺７３は第１辺の対辺である第２辺となる。負極側辺７４，７５は、負極上辺７２と負極下辺７３とが向かい合う方向に延び、互いに向かい合っている。したがって、負極側辺７４，７５は、第３辺となる。
【００４４】
図４及び図５に示すように、負極上辺７２の寸法Ｌ１１は、正極上辺６２の寸法Ｌ１より長い。負極下辺７３の寸法Ｌ１２は、正極下辺６３の寸法Ｌ２より長い。第１負極側辺７４の寸法Ｌ１３は、第１正極側辺６４の寸法Ｌ３より長い。第２負極側辺７５の寸法Ｌ１４は、第２正極側辺６５の寸法Ｌ４より長い。
【００４５】
図５に示すように、負極本体５２は、正極面取部４６，４７，４８，４９に対応する負極面取部５６，５７，５８，５９を備える。負極本体５２は、正極タブ側角取辺６６，６７に対応する負極タブ側角取辺７６，７７と、正極底側角取辺６８，６９に対応する負極底側角取辺７８，７９とを備える。
【００４６】
負極タブ側角取辺７６，７７は、負極面取部５６，５７，５８，５９のうち、負極上辺７２の両端に位置する第１負極面取部５６、及び、第２負極面取部５７を構成している。負極タブ側角取辺７６，７７は、負極上辺７２と負極側辺７４，７５との間に位置して負極上辺７２と負極側辺７４，７５とを接続している第１角取辺となる。
【００４７】
負極底側角取辺７８，７９は、負極面取部５６，５７，５８，５９のうち、負極下辺７３の両端に位置する第３負極面取部５８、及び、第４負極面取部５９を構成している。負極底側角取辺７８，７９は、負極下辺７３と負極側辺７４，７５との間に位置して負極下辺７３と負極側辺７４，７５とを接続している第２角取辺となる。
【００４８】
２つの負極タブ側角取辺７６，７７のうち、負極上辺７２と第１負極側辺７４とを繋ぐ負極タブ側角取辺７６を第１負極タブ側角取辺７６とし、負極上辺７２と第２負極側辺７５とを繋ぐ負極タブ側角取辺７７を第２負極タブ側角取辺７７とする。負極タブ側角取辺７６，７７は、負極上辺７２及び負極側辺７４，７５に対して斜めに交わる辺である。負極上辺７２と、第１負極タブ側角取辺７６とのなす角度は、鈍角である。第１負極側辺７４と第１負極タブ側角取辺７６とのなす角度は、鈍角である。負極上辺７２と、第２負極タブ側角取辺７７とのなす角度は、鈍角である。第２負極側辺７５と、第２負極タブ側角取辺７７とのなす角度は、鈍角である。即ち、負極タブ側角取辺７６，７７は、負極上辺７２及び負極側辺７４，７５となす角度が鈍角となる辺である。
【００４９】
第１負極タブ側角取辺７６と負極上辺７２の交点Ｐ１１と、第１負極タブ側角取辺７６と第１負極側辺７４の交点Ｐ１２とを結ぶ線分Ｓ１１と、負極上辺７２とのなす角度は鈍角である。線分Ｓ１１と、第１負極側辺７４とのなす角度は鈍角である。なお、本実施形態では、線分Ｓ１１と、第１負極タブ側角取辺７６とは同一の線分となる。
【００５０】
第２負極タブ側角取辺７７と負極上辺７２の交点Ｐ１３と、第２負極タブ側角取辺７７と第２負極側辺７５の交点Ｐ１４とを結ぶ線分Ｓ１２と、負極上辺７２とのなす角度は鈍角である。線分Ｓ１２と、第２負極側辺７５とのなす角度は鈍角である。なお、本実施形態では、線分Ｓ１２と、第２負極タブ側角取辺７７とは同一の線分となる。
【００５１】
２つの負極底側角取辺７８，７９のうち、負極下辺７３と第１負極側辺７４とを繋ぐ負極底側角取辺７８を第１負極底側角取辺７８とし、負極下辺７３と第２負極側辺７５とを繋ぐ負極底側角取辺７９を第２負極底側角取辺７９とする。負極底側角取辺７８，７９は、負極下辺７３及び負極側辺７４，７５に対して斜めに交わる辺である。負極下辺７３と、第１負極底側角取辺７８とのなす角度は、鈍角である。第１負極側辺７４と第１負極底側角取辺７８となす角度は、鈍角である。負極下辺７３と、第２負極底側角取辺７９とのなす角度は、鈍角である。第２負極側辺７５と、第２負極底側角取辺７９とのなす角度は、鈍角である。即ち、負極底側角取辺７８，７９は、負極下辺７３及び負極側辺７４，７５となす角度が鈍角となる辺である。
【００５２】
第１負極底側角取辺７８と負極下辺７３の交点Ｐ１５と、第１負極底側角取辺７８と第１負極側辺７４の交点Ｐ１６とを結ぶ線分Ｓ１３と、負極下辺７３とのなす角度は鈍角である。線分Ｓ１３と、第１負極側辺７４とのなす角度は鈍角である。なお、本実施形態では、線分Ｓ１３と、第１負極底側角取辺７８とは同一の線分となる。
【００５３】
第２負極底側角取辺７９と負極下辺７３の交点Ｐ１７と、第２負極底側角取辺７９と第２負極側辺７５の交点Ｐ１８とを結ぶ線分Ｓ１４と、負極下辺７３とのなす角度は鈍角である。線分Ｓ１４と、第２負極側辺７５とのなす角度は鈍角である。なお、本実施形態では、線分Ｓ１４と、第２負極底側角取辺７９とは同一の線分となる。
【００５４】
負極上辺７２の延長線を第１仮想線としての第１負極仮想線７２Ａとし、負極下辺７３の延長線を第２仮想線としての第２負極仮想線７３Ａとし、各負極側辺７４，７５の延長線を第３仮想線としての第３負極仮想線７４Ａ，７５Ａとする。各仮想線７２Ａ，７３Ａ，７４Ａ，７５Ａの交わる点同士を繋いだ四角形は、各角取辺７６，７７，７８，７９がないと仮定した場合の負極本体５２の外形である。
【００５５】
第１負極仮想線７２Ａ、第３負極仮想線７４Ａ，７５Ａ、及び、負極タブ側角取辺７６，７７に囲まれる面を第１仮想面としての負極タブ側仮想面Ａ１１，Ａ１２とする。負極タブ側仮想面Ａ１１，Ａ１２は、負極タブ側角取辺７６，７７の数と同数存在し、本実施形態では２つ存在することになる。２つの負極タブ側仮想面Ａ１１，Ａ１２のうち、第１負極仮想線７２Ａ、第３負極仮想線７４Ａ、及び、第１負極タブ側角取辺７６に囲まれる負極タブ側仮想面Ａ１１を第１負極タブ側仮想面Ａ１１とする。また、第１負極仮想線７２Ａ、第３負極仮想線７５Ａ、及び、第２負極タブ側角取辺７７に囲まれる負極タブ側仮想面Ａ１２を第２負極タブ側仮想面Ａ１２とする。
【００５６】
第２負極仮想線７３Ａ、第３負極仮想線７４Ａ，７５Ａ、及び、負極底側角取辺７８，７９に囲まれる面を第２仮想面としての負極底側仮想面Ａ１３，Ａ１４とする。負極底側仮想面Ａ１３，Ａ１４は、負極底側角取辺７８，７９の数と同数存在し、本実施形態では２つ存在することになる。２つの負極底側仮想面Ａ１３，Ａ１４のうち、第２負極仮想線７３Ａ、第３負極仮想線７４Ａ、及び、第１負極底側角取辺７８に囲まれる負極底側仮想面Ａ１３を第１負極底側仮想面Ａ１３とし、第２負極仮想線７３Ａ、第３負極仮想線７５Ａ、及び、第２負極底側角取辺７９に囲まれる負極底側仮想面Ａ１４を第２負極底側仮想面Ａ１４とする。
【００５７】
第１負極タブ側仮想面Ａ１１の面積は、第１負極底側仮想面Ａ１３の面積より小さく、第２負極タブ側仮想面Ａ１２の面積は、第２負極底側仮想面Ａ１４の面積より小さい。本実施形態のように、四隅に仮想面Ａ１１，Ａ１２，Ａ１３，Ａ１４が存在する場合、負極上辺７２と負極下辺７３との対向方向に向かい合う仮想面Ａ１１，Ａ１２，Ａ１３，Ａ１４について、上記の関係が成り立つ。
【００５８】
各仮想面Ａ１１，Ａ１２，Ａ１３，Ａ１４の面積は、負極タブ５３からの距離に対応している。本実施形態の各仮想面Ａ１１，Ａ１２，Ａ１３，Ａ１４の面積は、負極タブ５３から離れているほど大きい。矢印Ｙ１４で示すように、負極タブ５３から最も離れている第２負極底側仮想面Ａ１４の面積が最も大きく、矢印Ｙ１２で示すように、第２負極タブ側仮想面Ａ１２の面積が２番目に大きい。矢印Ｙ１１で示すように負極タブ５３に最も近い第１負極タブ側仮想面Ａ１１の面積が最も小さく、矢印Ｙ１３で示すように、第１負極底側仮想面Ａ１３の面積が２番目に小さい。
【００５９】
なお、上記した仮想面Ａ１１，Ａ１２，Ａ１３，Ａ１４の面積とは、負極本体５２が四角形状だったと仮定した場合に、各角取辺７６，７７，７８，７９で面取りを行った際に面取りされる面取面積である。
【００６０】
図３に示すように、正極電極４１及び負極電極５１は、正極上辺６２と負極上辺７２とが同一方向を向き、かつ、第１正極側辺６４と第２負極側辺７５とが同一方向を向く態様で積層されている。
【００６１】
これにより、図６に示すように、電極組立体４０を積層方向から見たときに、正極タブ４３と負極タブ５３とは、正極上辺６２及び負極上辺７２に沿う方向の中心位置Ｃを挟むように位置している。即ち、中心位置Ｃから偏った位置にタブ４３，５３は配置されている。
【００６２】
図１及び図２に示すように、電極組立体４０は、正極下辺６３、及び、負極下辺７３が底壁２３と向かい合うようにケース２０に収容されている。ケース２０に収容された状態で、負極下辺７３は、図示しない絶縁シートを介して底壁２３に向かい合っている。
【００６３】
正極側辺６４及び負極側辺７４は、図示しない絶縁シートを介して第１側部２６に向かい合っている。正極側辺６５及び負極側辺７５は、図示しない絶縁シートを介して第１側部２６に向かい合っている。正極面取部４８及び負極面取部５８は、ケース隅部２４に向かい合っている。正極面取部４９及び負極面取部５９は、ケース隅部２４に向かい合っている。
【００６４】
次に、二次電池１０の作用について説明する。
各金属箔４４，５４に設けられた各活物質層４５，５５は、各金属箔４４，５４から脱落する場合がある。この際、各金属箔４４，５４の角に設けられた各活物質層４５，５５は脱落しやすく、更に、角の角度が小さい程、各活物質層４５，５５は脱落しやすい。
【００６５】
仮に、正極本体４２及び負極本体５２が四隅に直角を備える場合、活物質層４５，５５は脱落しやすい。これに対して、本実施形態の正極本体４２及び負極本体５２は、面取りを施すことで各角が鈍角となっている。
【００６６】
また、製造上、ケース隅部２４は、アール状となる。この場合、図２に二点鎖線で示すように、正極本体４２、及び、負極本体５２を矩形状とした場合、正極本体４２、及び、負極本体５２の四隅のうち、底壁２３側の二つの隅がケース隅部２４と干渉し、電極組立体４０がケース隅部２４に乗り上げるおそれがある。正極本体４２、及び、負極本体５２がケース隅部２４と干渉しないように正極側辺６４，６５同士の間隔や、負極側辺７４，７５同士の間隔を短くすることも考えられる。しかしながら、この場合には、二次電池１０の容量が低下してしまう。
【００６７】
本実施形態のように、面取部４８，４９，５８，５９を設けることで、電極組立体４０の外面には、面取部４８，４９，５８，５９が連なる面が構成される。この面がケース隅部２４と向かい合うことで、ケース隅部２４と干渉し得る箇所をケース隅部２４から離間させることができる。更に、底側仮想面Ａ３，Ａ４，Ａ１３，Ａ１４の面積をタブ側仮想面Ａ１，Ａ２，Ａ１１，Ａ１２の面積よりも大きくしているため、電極組立体４０とケース隅部２４との干渉の更なる抑制が図られている。なお、本実施形態では、セパレータ８１は矩形状であるため、セパレータ８１の角はケース隅部２４に接触するおそれがある。セパレータ８１は、正極電極４１や負極電極５１に比べて軟らかく、ケース隅部２４に倣って変形する。したがって、セパレータ８１についてはケース隅部２４との干渉を考慮する必要がない。
【００６８】
図６に示すように、二次電池１０の放電が行われる際には、正極タブ４３から負極タブ５３に向けた電流経路で正極電極４１及び負極電極５１に電流が流れる。この際、正極タブ４３からの距離に応じて電流経路の経路長が変化する。電流経路は、正極タブ４３から波状に拡がっていく。電極組立体４０には、電流経路の経路長に応じて抵抗分布が生じ、経路長の短い電流経路ほど抵抗は低くなる。そして、この抵抗分布にしたがい、正極電極４１及び負極電極５１には電流分布が生じる。正極タブ４３に近いほど電流は大きくなる。
【００６９】
また、二次電池１０の充電が行われる際には、負極タブ５３から正極タブ４３に向けた電流経路で正極電極４１及び負極電極５１に電流が流れる。この場合、負極タブ５３に近いほど電流は大きくなる。
【００７０】
正極電極４１及び負極電極５１では、各タブ４３，５３から離れているほど電流が弱くなるため、活物質層４５，５５のうち各タブ４３，５３から離れている箇所ほど二次電池１０の充放電に寄与しないことになる。各仮想面Ａ１，Ａ２，Ａ３，Ａ４，Ａ１１，Ａ１２，Ａ１３，Ａ１４の面積は、タブ４３，５３から遠いほど大きい。即ち、二次電池１０の充放電に寄与しない部分ほど仮想面Ａ１，Ａ２，Ａ３，Ａ４，Ａ１１，Ａ１２，Ａ１３，Ａ１４の面積は大きいといえる。
【００７１】
したがって、上記実施形態によれば、以下の効果を得ることができる。
（１）正極本体４２、及び、負極本体５２の各角を鈍角にすることで、活物質層４５，５５の脱落を抑制している。これにより、活物質層４５，５５の一部が脱落することによる異物の発生を抑え、異物により電極組立体４０が短絡することを抑制することができる。また、底側仮想面Ａ３，Ａ４，Ａ１３，Ａ１４の面積をタブ側仮想面Ａ１，Ａ２，Ａ１１，Ａ１２の面積よりも大きくすることで、電極組立体４０とケース２０との干渉を抑制することができる。
【００７２】
二次電池１０の充放電への寄与が少ない四隅に面取部４６，４７，４８，４９，５６，５７，５８，５９を設けているため、正極側辺６４，６５同士の間隔や、負極側辺７４，７５同士の間隔を短くすることで電極組立体４０とケース２０との干渉を抑制する場合に比べ、二次電池１０の容量の低下は抑えられている。
【００７３】
（２）二次電池１０の充放電に寄与しない部分ほど仮想面Ａ１，Ａ２，Ａ３，Ａ４，Ａ１１，Ａ１２，Ａ１３，Ａ１４の面積を大きくしている。このため、二次電池１０の容量の低下を抑えつつ、仮想面Ａ１，Ａ２，Ａ３，Ａ４，Ａ１１，Ａ１２，Ａ１３，Ａ１４の面積を大きくすることで活物質層４５，５５の脱落を抑制することができる。
【００７４】
なお、実施形態は、以下のように変更してもよい。
○底側仮想面Ａ３，Ａ４，Ａ１３，Ａ１４の面積がタブ側仮想面Ａ１，Ａ２，Ａ１１，Ａ１２の面積よりも大きければ、各仮想面Ａ１，Ａ２，Ａ３，Ａ４，Ａ１１，Ａ１２，Ａ１３，Ａ１４の面積は、タブ４３，５３との距離に対応していなくてもよい。この場合であっても、面取部４６，４７，４８，４９，５６，５７，５８，５９を設けることで活物質層４５，５５の脱落を抑制でき、底側仮想面Ａ３，Ａ４，Ａ１３，Ａ１４の面積をタブ側仮想面Ａ１，Ａ２，Ａ１１，Ａ１２の面積よりも大きくすることで電極組立体４０とケース２０との干渉を抑制することができる。
【００７５】
○正極電極４１は、正極面取部４６，４７，４８，４９を備えていなくてもよい。即ち、正極上辺６２及び正極下辺６３と正極側辺６４，６５とは直角に交わっていてもよい。リチウムイオン電池においては、正極電極４１の外形寸法は負極電極５１の外形寸法よりも小さい。このため、積層方向から見たときの負極電極５１の外形内に正極電極４１の外形が収まる場合、正極電極４１は正極面取部４６，４７，４８，４９を備えていなくてもよい。
【００７６】
○各面取部４６，４７，４８，４９，５６，５７，５８，５９は、アール状であってもよい。この場合、各角取辺６６，６７，６８，６９，７６，７７，７８，７９もアール状となる。各角取辺６６，６７，６８，６９，７６，７７，７８，７９をアール状とした場合、各線分Ｓ１，Ｓ２，Ｓ３，Ｓ４，Ｓ１１，Ｓ１２，Ｓ１３，Ｓ１４は、各角取辺６６，６７，６８，６９，７６，７７，７８，７９とは異なる線分となる。また、アール状の面取部と、Ｃ面状の面取部とが混在していてもよい。
【００７７】
○負極電極５１の一部は、負極面取部５６，５７，５８，５９を備えていなくてもよい。この場合であっても、負極面取部５６，５７，５８，５９が設けられた負極電極５１からは負極活物質層５５の一部が脱落しにくい。全ての負極電極５１が負極面取部５６，５７，５８，５９を備えていない場合に比べて、異物の発生を抑制することができる。また、全ての負極電極５１が負極面取部５６，５７，５８，５９を備えていない場合に比べて、電極組立体４０とケース２０との干渉を抑制することができる。同様に、正極電極４１の一部は正極面取部４６，４７，４８，４９を備えていなくてもよい。
【００７８】
○負極電極５１の各仮想面Ａ１１，Ａ１２，Ａ１３，Ａ１４の面積は、正極タブ４３からの距離が遠いほど大きくてもよい。即ち、「仮想面の面積がタブからの距離に対応している」とは、電極の仮想面の面積が、異なる極性の電極のタブからの距離に比例して大きくなる構成も含む。同様に、正極電極４１の各仮想面Ａ１，Ａ２，Ａ３，Ａ４の面積は、負極タブ５３からの距離が遠いほど大きくてもよい。
【００７９】
○負極電極５１の外形寸法と正極電極４１の外形寸法とを同一にしてもよい。
○正極電極４１は、正極面取部４６，４７のうち一方を備えていてもよい。正極電極４１は、正極面取部４８，４９のうち一方を備えていてもよい。負極電極５１は、負極面取部５６，５７のうち一方を備えていてもよい。負極電極５１は、負極面取部５８，５９のうち一方を備えていてもよい。
【００８０】
○負極金属箔５４の一方の面にのみ負極活物質層５５が設けられていてもよい。正極金属箔４４の一方の面にのみ正極活物質層４５が設けられていてもよい。
○蓄電装置は、キャパシタでもよい。
【符号の説明】
【００８１】
Ａ１，Ａ２，Ａ１１，Ａ１２…タブ側仮想面（第１仮想面）、Ａ３，Ａ４，Ａ１３，Ａ１４…底側仮想面（第２仮想面）、１０…二次電池（蓄電装置）、２０…ケース、２３…底壁、２４…ケース隅部、２５…側壁、４０…電極組立体、４１…正極電極（電極）、４２…正極本体（電極本体）、４３…正極タブ（タブ）、４４…正極金属箔（金属箔）、４５…正極活物質層（活物質層）、４６，４７，４８，４９…正極面取部（第１面取部及び第２面取部）、５１…負極電極（電極）、５２…負極本体（電極本体）、５３…負極タブ（タブ）、５４…負極金属箔（金属箔）、５５…負極活物質層（活物質層）、５６，５７，５８，５９…負極面取部（第１面取部及び第２面取部）、６２…正極上辺（第１辺）、６２Ａ…第１正極仮想線（第１仮想線）、６３…正極下辺（第２辺）、６３Ａ…第２正極仮想線（第２仮想線）、６４，６５…正極側辺（第３辺）、６４Ａ，６５Ａ…第３正極仮想線（第３仮想線）、６６，６７…正極タブ側角取辺（第１角取辺）、６８，６９…正極底側角取辺（第２角取辺）、７２…負極上辺（第１辺）、７２Ａ…第１負極仮想線（第１仮想線）、７３…負極下辺（第２辺）、７３Ａ…第２負極仮想線（第２仮想線）、７４，７５…負極側辺（第３辺）、７４Ａ，７５Ａ…第３負極仮想線（第３仮想線）、７６，７７…負極タブ側角取辺（第１角取辺）、７８，７９…負極底側角取辺（第２角取辺）、８１…セパレータ。
【図１】
2018142513.tif 000003
【図２】
2018142513.tif 000004
【図３】
2018142513.tif 000005
【図４】
2018142513.tif 000006
【図５】
2018142513.tif 000007
【図６】
2018142513.tif 000008